(57)【要約】  【課題】  カードキー等の記録体を用いたアンチパス方式の入退室管理システムにおいて、記録体への書込エラーを減少させる。【解決手段】  読取書込装置２０は、被管理者に保持されるカードキー１２から、認証用の識別情報とともに、ゾーン間の不正な移動を判定するためのアンチパス情報を読み取り、アンチパス情報を用いてアンチパス判定処理を行う。制御装置３０は、読取装置２０にて読み取られた識別情報を用いて認証処理を行う。読取書込装置２０は、制御装置３０による認証の結果を待たずに、アンチパス判定処理の判定結果に基づいて、カードキー１２に対して、アンチパス情報を更新するための書込処理を行う。【選択図】  図１
2005146652.tif 000002
【特許請求の範囲】
【請求項１】
被管理者に保持される記録体から、認証用の識別情報とともに、ゾーン間の不正な移動を判定するためのアンチパス情報を読み取る読取ステップと、
前記読取ステップにて読み取られた識別情報を用いた認証を行う認証ステップと、
前記アンチパス情報を用いてアンチパス判定を行うアンチパス判定ステップと、
前記認証ステップにおける認証の結果を待たずに、前記記録体に対して、前記アンチパス判定の結果に基づいてアンチパス情報を更新するための書込処理を行う書込ステップと、
を含むことを特徴とする入退室管理方法。
【請求項２】
被管理者に保持される記録体から、認証用の識別情報とともに、ゾーン間の不正な移動を判定するためのアンチパス情報を読み取る読取ステップと、
前記読取ステップにて読み取られた識別情報を用いた認証を行う認証ステップと、
前記アンチパス情報を用いてアンチパス判定を行うアンチパス判定ステップと、
前記記録体上のアンチパス情報がアンチパスの発生を示している場合でも、アンチパスが発生していないことを示す例外事象に対応した所定のアンチパス救済条件が満たされるか否かの救済判定を行うアンチパス救済判定ステップと、
を含むことを特徴とする入退室管理方法。
【請求項３】
被管理者に保持される記録体から、認証用の識別情報を読み取る読取ステップと、
前記識別情報を用いた認証の結果を待たずに、ゾーン間の不正な移動を判定するためのアンチパス情報を更新するための書込処理を前記記録体に対して行う書込ステップと、
を含むことを特徴とする入退室管理方法。
【請求項４】
被管理者に保持される記録体から、認証用の識別情報とともに、ゾーン間の不正な移動を判定するためのアンチパス情報を読み取る読取手段と、
前記読取手段にて読み取られた識別情報を用いた認証処理を行う認証手段と、
前記アンチパス情報を用いてアンチパス判定処理を行うアンチパス判定手段と、
前記アンチパス判定処理の判定結果に基づいて、前記記録体に対して、前記アンチパス情報を更新するための書込処理を行う書込手段と、
前記書込手段に、前記認証手段による認証の結果を待たずに前記書込処理を開始させる書込開始制御手段と、
を備えることを特徴とする入退室管理システム。
【請求項５】
前記書込手段による前記アンチパス情報の更新が終了した後、前記認証手段にて認証不成功の結果が得られたときに、前記書込手段に、前記記録体上の前記アンチパス情報を更新前の状態に書き戻させる書戻制御手段を備えることを特徴とする請求項４に記載の入退室管理システム。
【請求項６】
前記記録体上のアンチパス情報がアンチパス判定で異常の発生を示している場合でも、アンチパス判定で異常としないことを示す例外事象に対応した所定のアンチパス救済条件が満たされるか否かの救済判定を行うアンチパス救済判定手段を備えることを特徴とする請求項４または５に記載の入退室管理システム。
【請求項７】
前記アンチパス救済条件は、前記アンチパス情報がアンチパス判定対象の管理ポイントの既通過を示すという条件を含むことを特徴とする請求項６に記載の入退室管理システム。
【請求項８】
前記アンチパス救済条件は、前記既通過からの経過時間が所定の時間内であるという条件をさらに含むことを特徴とする請求項７に記載の入退室管理システム。
【請求項９】
被管理者に保持される記録体から、認証用の識別情報とともに、ゾーン間の不正な移動を判定するためのアンチパス情報を読み取る読取手段と、
前記読取手段にて読み取られた識別情報を用いた認証処理を行う認証手段と、
前記アンチパス情報を用いてアンチパス判定処理を行うアンチパス判定手段と、
前記アンチパス判定手段による判定の結果に基づいて、前記記録体に対して、アンチパス情報を更新するための書込処理を行う書込手段と、
前記記録体上のアンチパス情報がアンチパスの発生を示している場合でも、アンチパスが発生していないことを示す例外事象に対応した所定のアンチパス救済条件が満たされるか否かの救済判定処理を行うアンチパス救済判定手段と、
を備えることを特徴とする入退室管理システム。
【請求項１０】
前記アンチパス情報の内容に関わらずに、当該アンチパス情報を書き換える強制書換手段を備えることを特徴とする請求項４ないし請求項９のいずれかに記載の入退室管理システム。
【請求項１１】
被管理者に保持される記録体から、認証用の識別情報を読み取る読取手段と、
ゾーン間の不正な移動を判定するためのアンチパス情報を更新するための書込処理を前記記録体に対して行う書込手段と、
前記識別情報を用いた認証の結果を待たずに、前記書込手段に前記書込処理を開始させる書込開始制御手段と、
を備えることを特徴とする読取書込装置。
【請求項１２】
前記書込手段による前記アンチパス情報の更新が終了した後、前記認証情報が認証されなかったときに、前記書込手段に、前記記録体上の前記アンチパス情報を更新前の状態に書き戻させる書戻制御手段を備えることを特徴とする請求項１１に記載の読取書込装置。
【発明の詳細な説明】
【技術分野】
【０００１】
本発明は、カードキー等の記録体を用いてアンチパス方式により所定のゾーンへの入退室を管理する技術に関する。
【背景技術】
【０００２】
従来より、特定のゾーン（場所、建物、部屋など）に対する入室者を制限するために、ＩＤ情報が記録されたカードキーを用いて入室を管理するシステムが知られている。入室が制限されるゾーンの入り口には電気錠付きの扉が設置されており、入室者はカードキーを読取装置に読み取らせて、ＩＤ情報の認証を受けて、電気錠を解錠して入室できる。
【０００３】
さらに、入室の制限だけでなくゾーン間の不正な移動を管理する、アンチパス方式の入退室管理システムが知られている。アンチパス方式の入退室管理には、アンチパスバック方式とアンチパスフォワード方式がある。アンチパスバックは、同じカードで２回続けて入室または退室できないようにする機能であり、入室記録のないカードでは退室できず、逆に退室記録のないカードでは入室できない入退室管理方式である。アンチパスフォワードは、正しい経路を通ってきた者にのみ入室を許可する入退室管理方式である。
【０００４】
これらのアンチパスバック方式およびアンチパスフォワード方式の入退室管理を具体的に説明する。図７および図８は、アンチパスバックを説明する図であり、図９および図１０は、アンチパスフォワードを説明する図である。これらの例では、ある会社において、その社員が会社の敷地内の特定のゾーンに入室する場合を想定している。
【０００５】
図７および図８を参照してアンチパスバック方式の入退室管理を説明する。図７は、社員１１がカードキー１２によって社外から社内のＣゾーンに入る例を示している。社外ゾーンとＣゾーンとの間は壁で仕切られている。壁には、電気錠５０付の扉１４が設けられている。電気錠付扉１４の付近には、壁の両側にそれぞれ読取書込装置６０が設置されている。電気錠５０および読取書込装置６０は、制御装置７０に接続されており、制御装置７０によって制御される。カードキー１２には、社員１１の識別情報であるＩＤ情報とともに、アンチパス判定のためのゾーンコードが記録されている。社外ゾーンおよびＣゾーンには、それぞれゾーンコード「００００」および「０００Ｃ」が割り当てられている。
【０００６】
カードキー１２を保持した社員１１は、社外ゾーンからＣゾーンに移動するために、扉付近に設けられた社外ゾーン側の読取書込装置６０に、カードキー１２に記録された情報を読み取らせる。そして、ゾーンコードが正常、すなわち社外ゾーンコード「００００」であると判定され、かつ、制御装置７０にてＩＤ情報が認証されると、制御装置７０は電気錠５０を解錠する。このとき、読取書込装置６０は、カードキー１２に次ゾーンのゾーンコードである「０００Ｃ」を書き込む。このような操作を経て、社員１１は、ゾーンコードとしてＣゾーンのコードが記録されたカードキー１２を保持してＣゾーンに入ることができる。
【０００７】
次に、Ｃゾーンを退室して社外ゾーンに出る場合には、社員１１は、Ｃゾーン側の読取書込装置６０に、カードキー１２に記録された情報を読み取らせる。そして、ゾーンコードが正常、すなわちＣゾーンコード「０００Ｃ」であると判定され、かつ、制御装置７０にてＩＤ情報が認証されると、制御装置７０は電気錠５０を解錠する。このとき、読取書込装置６０は、カードキー１２に次ゾーンのゾーンコードである「００００」を書き込む。このようにして、社員１１は、ゾーンコードとして社外ゾーンのコードが記録されたカードキー１２を保持してＣゾーンを出ることができる。
【０００８】
図８は、アンチパスバック方式のアンチパス判定で異常が発生する例を説明する図である。この例では、社員１１がＣゾーンにいるにもかかわらず、そのカードキー１２のゾーンコードには、社外ゾーンコード「００００」が記録されている。このような事態は、例えば、社員１１が他人の解錠操作によって解錠された扉を通ってＣゾーンに入ってしまった場合に生じる。この場合には、社員１１のカードキー１２のゾーンコードが社外ゾーンコードから書き換えられることなく、社員１１はＣゾーンに入ってしまうからである。
【０００９】
そして、社員１１が、Ｃゾーンを出て社外ゾーンに戻るために、Ｃゾーン側の読取書込装置６０にカードキー１２に記録された情報を読み取らせると、社員１１のＩＤ情報は認証されるが、ゾーンコードがＣゾーンコード「０００Ｃ」ではなく、他のゾーンのゾーンコード「００００」であるため、異常であると判定される。このとき、制御装置７０は電気錠５０を解錠せず、読取書込装置６０は、カードキー１２のゾーンコードに、異常であることを示す「ＦＦＦＦ」を記録する。
【００１０】
次に、図９および図１０を参照して、アンチパスフォワードを説明する。図９は、社員１１がカードキー１２によって社外から社内のＣゾーンを経て、さらにＢゾーンに入る例を示している。社外ゾーンとＣゾーンとの間およびＣゾーンとＢゾーンとの間は、それぞれ壁で仕切られている。壁には、電気錠５０付の扉１４が設けられており、電気錠付扉１４の付近には、壁の両側にそれぞれ読取書込装置６０が設置されている。電気錠５０および読取書込装置６０は制御装置７０に接続されており、制御装置７０によって制御される。カードキー１２には、社員１１の識別情報であるＩＤ情報とともに、アンチパス判定のためのゾーンコードが記録されている。社外ゾーン、ＣゾーンおよびＢゾーンには、それぞれゾーンコード「００００」、「０００Ｃ」および「０００Ｂ」が割り当てられている。
【００１１】
カードキー１２を保持した社員１１は、まず、社外ゾーンからＣゾーンに入るために社外ゾーン側の読取記録装置６０に、カードキー１２に記録された情報を読み取らせる。そして、ゾーンコードが正常、すなわち社外ゾーンコード「００００」であると判定され、かつ、制御装置７０にてＩＤ情報が認証されると、制御装置７０が電気錠５０を解錠させる。そして、読取記憶装置６０は、カードキー１２に次ゾーンのゾーンコードである「０００Ｃ」を書き込む。このようにして、社員１１は、ゾーンコードとしてＣゾーンのコードが記録されたカードキー１２を保持してＣゾーンに入ることができる。
【００１２】
次に、社員１１は、ＣゾーンからさらにＢゾーンに入るために、ＣゾーンからＢゾーンへの扉付近に設置されたＣゾーン側の読取書込装置６０に、カードキー１２の情報を読み取らせる。そして、ゾーンコードが正常、すなわちＣゾーンコード「０００Ｃ」であると判定され、制御装置７０にてＩＤ情報が認証されると、制御装置７０は電気錠５０を解錠させる。このとき、読取記憶装置６０は、カードキー１２に次ゾーンのゾーンコードである「０００Ｂ」を書き込む。以上のようにして、社員１１は、社外ゾーンからＣゾーンを経てＢゾーンに入ることができる。
【００１３】
図１０は、アンチパスフォワード方式のアンチパス判定で異常が発生する例を説明する図である。この例では、社員１１がＣゾーンにいるにもかかわらず、そのカードキー１２のゾーンコードには、社外ゾーンコード「００００」が記録されている。社員１１が、ＣゾーンからＢゾーンに入るために、Ｃゾーン側の読取書込装置６０にカードキー１２に記録された情報を読み取らせると、制御装置７０にて社員１１のＩＤ情報は認証されるが、ゾーンコードがＣゾーンコード「０００Ｃ」ではなく、他のゾーンのゾーンコード「００００」であるため、異常であると判定される。このとき、制御装置７０は電気錠５０を解錠せず、読取書込装置６０は、カードキー１２のゾーンコードに、異常であることを示す「ＦＦＦＦ」を記録する。
【００１４】
以上説明したように、アンチパス方式では、情報の書込が可能な記録体をカードキーとして用い、その記録体には、入室制限のためのＩＤ情報のほかに、アンチパス判定のためのアンチパス情報であるゾーンコードを記録する。入退室管理システムは、ＩＤ情報の認証に加えて、ゾーンコードを参照して、カード保持者が前にどの扉を解錠したかを判定した上で、電気錠を解錠する。そして、記録体上のゾーンコードは、解錠操作を行うごとに更新されていく。
【００１５】
アンチパス方式を採用した入退室管理システムは、例えば、特許文献１に開示されている。
【特許文献１】特開１１−１３３１１０号公報（第３−５頁、第６図）
【発明の開示】
【発明が解決しようとする課題】
【００１６】
上記のように、従来のアンチパス方式の入退室管理システムでは、解錠操作を行うごとに、読取書込装置がカードキーのゾーンコードを更新する。しかしながら、ゾーンコード更新のための書込が終わる前に、カード保持者が読取書込装置からカードキーを取り除いてしまった場合には、ゾーンコードが正確に更新されないことになる。
【００１７】
特に、カードキーとして、非接触型ＩＣカードを用いる場合には、読取書込装置には必要な処理が終わるまでカードを強制的に保持しておく機構がないため、カード保持者は容易に読取書込装置からカードキーを離すことができ、上記のような書込エラーが生じやすい。
【００１８】
また、入退室管理システムが大規模である場合には、多数の扉の各々に設置された複数の読取書込装置が１つの制御装置に接続され、ＩＤ情報の認証をその１つの制御装置にて行うことが想定される。この場合には、各読取書込装置にてＩＤ情報を読み取った後、制御装置にＩＤ情報を送信して、制御装置にてＩＤの認証処理が実行され、その結果が読取装置に返信され、さらにその後にゾーンコードの更新を行うが、これらの間に相当な時間を要することになる。したがって、ＩＤ情報の認証後にゾーンコード更新のための書込みが完了する前に、カードキーが読取書込装置から取り除かれる可能性が高くなり、上記のような書込エラーが発生しやすくなる。
【００１９】
さらに、アンチパス方式の入退室管理システムでは、解錠操作のたびに、ゾーンコードを更新していき、それによってカード保持者の入退室の経路を管理しているが、カード保持者が解錠の操作をしたにもかかわらず、実際にはゾーン間の移動を行わないこともあり得る。このような場合には、カードキー上では、ゾーン間の移動が行われたものとしてゾーンコードが更新されているにもかかわらず、実際には次のゾーンへの移動が行われていないため、次にカード保持者が解錠操作をするときには、そのゾーンコードは異常なゾーンコードとして認識されてしまうことになる。したがって、カード保持者はそれ以上ゾーン間の移動を行うことはできずに、そのゾーンに閉じこめられてしまう。
【００２０】
本発明は、上記の従来の問題を解決するためになされたものであり、記録体を用いたアンチパス方式の入退室管理システムにおいて、記録体への書込エラーを減少させる技術を提供することを目的とする。
【課題を解決するための手段】
【００２１】
本発明の入退室管理方法は、被管理者に保持される記録体から、認証用の識別情報とともに、ゾーン間の不正な移動を判定するためのアンチパス情報を読み取る読取ステップと、前記読取ステップにて読み取られた識別情報を用いた認証を行う認証ステップと、前記アンチパス情報を用いてアンチパス判定を行うアンチパス判定ステップと、前記認証ステップにおける認証の結果を待たずに、前記記録体に対して、前記アンチパス判定の結果に基づいてアンチパス情報を更新するための書込処理を行う書込ステップとを含んでいる。
【００２２】
この構成により、書込ステップにて、認証ステップにおける認証結果を待たずに、アンチパス情報を更新するための書込処理を行うので、アンチパス方式による入退室管理において、被管理者が記録体をすばやく取り除いてしまうことによる記録体への書き込みエラーの可能性を低減できる。
【００２３】
また、本発明の入退室管理方法は、被管理者に保持される記録体から、認証用の識別情報とともに、ゾーン間の不正な移動を判定するためのアンチパス情報を読み取る読取ステップと、前記読取ステップにて読み取られた識別情報を用いた認証を行う認証ステップと、前記アンチパス情報を用いてアンチパス判定を行うアンチパス判定ステップと、前記記録体上のアンチパス情報がアンチパスの発生を示している場合でも、アンチパスが発生していないことを示す例外事象に対応した所定のアンチパス救済条件が満たされるか否かの救済判定を行うアンチパス救済判定ステップとを含んでいる。
【００２４】
この構成により、アンチパス方式による入退室管理が可能となるとともに、アンチパス救済判定ステップにてアンチパス救済条件を満たしているか否かを判断するので、アンチパスを厳格に管理することによる利用者の不便さを軽減し、信頼性と使い勝手を両立させた入退室管理が可能となる。
【００２５】
また、本発明の入退室管理方法は、被管理者に保持される記録体から、認証用の識別情報を読み取る読取ステップと、前記識別情報を用いた認証の結果を待たずに、ゾーン間の不正な移動を判定するためのアンチパス情報を更新するための書込処理を前記記録体に対して行う書込ステップとを含んでいる。
【００２６】
この構成により、書込ステップにて、識別情報を用いた認証の結果を待たずに、アンチパス情報を更新するための書込みが行われるので、アンチパス方式による入退室管理において、被管理者が記録体をすばやく取り除いてしまうことによる、記録体への書き込みエラーの可能性を低減できる。
【００２７】
また、本発明の入退室管理システムは、被管理者に保持される記録体から、認証用の識別情報とともに、ゾーン間の不正な移動を判定するためのアンチパス情報を読み取る読取手段と、前記読取手段にて読み取られた識別情報を用いた認証処理を行う認証手段と、前記アンチパス情報を用いてアンチパス判定処理を行うアンチパス判定手段と、前記アンチパス判定処理の判定結果に基づいて、前記記録体に対して、前記アンチパス情報を更新するための書込処理を行う書込手段と、前記書込手段に、前記認証手段による認証の結果を待たずに前記書込処理を開始させる書込開始制御手段とを備えている。
【００２８】
この構成により、書込開始制御手段が、認証手段による識別情報の認証の結果を待たずに、書込手段にアンチパス情報を更新するための書込処理を行わせるので、アンチパス方式による入退室管理において、被管理者が記録体をすばやく取り除いてしまうことによる、記録体への書き込みエラーの可能性を低減できる。
【００２９】
また、本発明の入退室管理システムは、さらに、前記書込手段による前記アンチパス情報の更新が終了した後、前記認証手段にて認証不成功の結果が得られたときに、前記書込手段に、前記記録体上の前記アンチパス情報を更新前の状態に書き戻させる書戻制御手段を備えている。
【００３０】
この構成により、認証手段による認証が不成功となったときに、アンチパス情報が更新前の状態に書き戻されるので、アンチパス情報は正常な状態となり、その後の別の読取手段でのアンチパス判定を正確に行える。すなわち、本発明のシステムでは、アンチパス判定の結果が正常であったために、識別情報の認証の結果を待たずに、アンチパス情報を既通過を示す情報に書き換えたが、その後に識別情報が認証されずに、実際には通過できないことがあり得る。このような場合に、本発明によれば、アンチパス情報を元の情報に書き戻してやることで、未通過という実際の状態とアンチパス情報とを整合させられる。
【００３１】
また、本発明の入退室管理システムは、さらに、前記記録体上のアンチパス情報がアンチパス判定で異常の発生を示している場合でも、アンチパス判定で異常としないことを示す例外事象に対応した所定のアンチパス救済条件が満たされるか否かの救済判定を行うアンチパス救済判定手段を備えている。
【００３２】
この構成により、アンチパス救済判定手段にてアンチパス救済条件を満たしているか否かを判断するので、アンチパス方式の入退室管理を実現しつつ、アンチパス方式で入退室を厳格に管理することによる利用者の不便さを軽減し、信頼性と使い勝手を両立させた入退室管理が可能となる。
【００３３】
また、本発明の入退室管理システムでは、前記アンチパス救済条件に、前記アンチパス情報がアンチパス判定対象の管理ポイントの既通過を示すという条件が含まれる。
【００３４】
この構成により、アンチパス情報がアンチパス判定対象の管理ポイントの既通過を示すか否かによって救済判定が行われるので、例えば、いったん正常に解錠したにもかかわらず、何らかの事情によりゾーン間を移動しなかったことによりアンチパス情報が異常となっている状態を救済できる。
【００３５】
また、本発明の入退室管理システムでは、前記アンチパス救済条件に、既通過からの経過時間が所定の時間内であるという条件がさらに含まれる。
【００３６】
この構成により、アンチパス情報がアンチパス判定対象の管理ポイントの既通過を示すか否かによって救済判定が行われるのに加えて、既通過からの経過時間が所定の時間内であるか否かによって救済判定が行われるので、所定の時間内の操作のやり直しによる場合を救済できる。
【００３７】
また、本発明の入退室管理システムは、被管理者に保持される記録体から、認証用の識別情報とともに、ゾーン間の不正な移動であるアンチパスを判定するためのアンチパス情報を読み取る読取手段と、前記読取手段にて読み取られた識別情報を用いた認証処理を行う認証手段と、前記アンチパス情報を用いてアンチパス判定処理を行うアンチパス判定手段と、前記アンチパス判定手段による判定の結果に基づいて、前記記録体に対して、アンチパス情報を更新するための書込処理を行う書込手段と、前記記録体上のアンチパス情報がアンチパスの発生を示している場合でも、アンチパスが発生していないことを示す例外事象に対応した所定のアンチパス救済条件が満たされるか否かの救済判定処理を行うアンチパス救済判定手段とを備えている。
【００３８】
この構成により、アンチパス方式による入退室管理が可能となるとともに、アンチパス救済判定手段にてアンチパス救済条件を満たしているか否かを判断するので、アンチパスを厳格に管理することによる利用者の不便さを軽減し、信頼性と使い勝手を両立させた入退室管理が可能となる。
【００３９】
また、本発明の入退室管理システムは、さらに、前記アンチパス情報の内容に関わらずに、当該アンチパス情報を書き換える強制書換手段を備えている。
【００４０】
この構成により、強制書換手段が、アンチパス情報の内容に関わらずに当該アンチパス情報を書き換えるので、アンチパス情報を強制的に正常な情報に書き換えられる。
【００４１】
また、本発明の読取書込装置は、被管理者に保持される記録体から、認証用の識別情報を読み取る読取手段と、前記記録体上にゾーン間の不正な移動であるアンチパスを判定するためのアンチパス情報を更新するための書込処理を行う書込手段と、前記識別情報を用いた認証の結果を待たずに、前記書込手段に前記書込処理を開始させる書込開始制御手段とを備えている。
【００４２】
この構成により、書込開始制御手段が、識別情報を用いた認証の結果を待たずに、書込手段にアンチパス情報を更新するための書込処理を行わせるので、アンチパス方式による入退室管理において、被管理者が記録体をすばやく取り除いてしまうことによる、記録体への書き込みエラーの可能性を低減できる。
【００４３】
また、本発明の読取書込装置は、さらに、前記書込手段による前記アンチパス情報の更新が終了した後、前記認証情報が認証されなかったときに、前記書込手段に、前記記録体上の前記アンチパス情報を更新前の状態に書き戻させる書戻制御手段を備えている。
【００４４】
この構成により、識別情報を用いた認証が不成功となったときに、書戻制御手段が、書込手段にアンチパス情報を更新前の状態に書き戻させるので、アンチパス情報を正常な状態にできる。
【発明の効果】
【００４５】
本発明は、被管理者に保持され、識別情報およびアンチパス情報が記録された記録体に対して、アンチパス情報を更新するための書込処理を行う書込手段を設け、書込開始制御手段が、認証手段による識別情報の認証の結果を待たずに、書込手段にアンチパス情報を更新するための書込処理を行わせるので、被管理者が記録体をすばやく取り除いてしまうことによる、記録体への書き込みエラーの可能性を低減することが可能となる。
【発明を実施するための最良の形態】
【００４６】
以下、本発明の実施の形態の入退室管理システムについて、図面を用いて説明する。
図１は、入退室管理システム１の概略構成を示す図である。図１に示されるように、本発明の実施の形態の入退室管理システム１は、２つのゾーンを画する壁１３に、扉１４の解錠および施錠を行う電気錠１０を備えている。また、壁１３の両側には読取書込装置２０が設けられている。読取書込装置２０は、カードキー１２に記録された情報を読み取り、また、カードキー１２に対して所定の情報を書き込む。
【００４７】
読取書込装置２０は制御装置３０に対してデータ通信可能に接続されている。また、電気錠１０も制御装置３０に接続されており、制御装置３０によって制御される。なお、制御装置３０は、読取書込装置２０および電気錠１０と接続されていれば、配置場所はどこであってもよい。また、１つの制御装置３０が複数の読取書込装置２０および電気錠１０を制御してもよい。
【００４８】
なお、アンチパスフォワード方式の管理のみを行う場合には、読取書込装置２０を外側のゾーンにのみ設けて、外側のゾーンから内側のゾーンへの入室のみを管理するようにしてもよい。また、電気錠１０が施錠する対象は、扉だけでなく、ゲート等の他の遮断手段であってもよい。また、制御装置３０が入退室管理に用いる制御対象は、赤外線センサーによって人物の通過を関知して警告をする等の警告手段であってもよい。警告手段の場合には、上記の例で制御装置３０によって電気錠が解錠される代わりに、センサーが解除されて被管理者の通過が可能になる。
【００４９】
図２は、本実施の形態の入退室管理システム１が設置された施設を示す図である。図２の例では、所定の敷地１００内に建物１１０が建っており、建物１１０の中には機密室１２０がある。敷地１００、建物１１０および機密室１２０はそれぞれ壁によって外部から遮断されている。壁の所定箇所には通行のための扉１４１〜１４６が設けられている。図２に示される施設において、扉１４１〜１４６が設けられたポイントは、アンチパス判定対象の管理ポイントである。各管理ポイントでは、図１に示される電気錠１０が設けられており、壁の両側に読取書込装置２０が設けられている。読取書込装置２０は、壁によって仕切られるゾーンの外側および内側に設置される。また、敷地１００内には警備室１３０が設けられている。警備室１３０には、後述する強制書換装置４０が備えられている。
【００５０】
図２の例では、１つのゾーンを画する壁に対して１つの制御装置３０が設けられている。すなわち、敷地１００を画する壁には２つの扉１４１および１４２が設けられているが、これらの扉に備えられた読取書込装置２０は、共通の制御装置３０に接続されている。また、建物１１０を画する壁には、３つの扉１４３〜１４５が設けられており、これらの扉に備えられた読取書込装置２０は、共通の制御装置３０に接続されている。なお、制御装置３０は、全体で１つのみであってもよい。
【００５１】
本実施の形態の入退室管理システム１では、敷地１００外、敷地１００内、建物１１０内および機密室１２０内のゾーンに対して、アンチパス情報としてのゾーンコード「００００」、「０００Ｐ」、「０００Ｂ」および「０００Ｒ」が割り当てられている。
【００５２】
図３は、本実施の形態の入退室管理システム１の構成を示すブロック図である。入退室管理システム１は、複数の電気錠１０、複数の読取書込装置２０および制御装置３０を含んでいる。
【００５３】
制御装置３０は、電気錠制御インターフェイス３１、ＣＰＵ３２、ＲＯＭ３３、ＲＡＭ３４および有線送受信インターフェイス３５を備えている。ＣＰＵ３２は、制御装置３０全体を制御し、後述するＩＤ認証処理や解錠処理等の各種の制御処理を行う。ＲＯＭ３３には、ＣＰＵ３２が後述する処理を含む各種の制御処理を行うためのプログラムが記憶されている。ＲＡＭ３４は、ＣＰＵ３２が制御処理を行う際の作業エリアとして用いられる。また、この入退室管理システム１においては、固有のＩＤが各々に割り当てられた複数の被管理者が登録されており、ＲＯＭ３３には、プログラムの他に、登録された被管理者のＩＤ情報が記録されている。このＩＤ情報は、本発明の識別情報として機能するものであり、後述する認証処理において参照される。
【００５４】
電気錠制御インターフェイス３１は、ＣＰＵ３２にて生成された電気錠１０の解錠および施錠を行うための電気錠制御信号を電気錠１０に送信するインターフェイスである。有線送受信インターフェイス３５は、読取書込装置２０との間でデータ通信を行うインターフェイスである。有線送受信インターフェイス３５は、後述する読取書込装置２０の有線送受信インターフェイスと接続されている。
【００５５】
読取書込装置２０は、ユーザインターフェースとして、筺体の外側に送受信部２１、ＯＫランプ２２、ＮＧランプ２３およびブザー２４を備えている。また、内部には、無線送受信インターフェイス２５、ランプ制御インターフェイス２６、ブザー制御インターフェイス２７、ＣＰＵ２８、ＲＯＭ２９、ＲＡＭ４１および有線送受信インターフェイス４２を備えている。
【００５６】
ＣＰＵ２８は、読取書込装置２０全体を制御し、後述する読取処理、書込処理、ゾーン判定処理等の各種の処理を行う。ＲＯＭ２９は、ＣＰＵ２８の処理のためのプログラムを記憶している。ＲＡＭ４１は、ＣＰＵ２８の作業エリアとして機能する。ＲＯＭ２９は、さらに、当該読取書込装置が設置されているゾーンに対応するゾーンコードが記憶されている。ゾーンコードは、上記のように、それぞれのゾーンに割り当てられた固有のコードであり、ある扉に対する外側の読取書込装置２０と内側の読取書込装置２０とでは、ゾーンコードが異なっている。
【００５７】
ランプ制御インターフェイス２６は、ＣＰＵ２８からのランプ制御信号に従って、ＯＫランプおよびＮＧランプを点灯させる。ブザー制御インターフェイス２７は、ＣＰＵ２８からのブザー制御信号に従って、ブザー２４を鳴らす。なお、ブザー制御インターフェイス２７とブザー２４によって、ＯＫを示すブザー音（ＯＫブザー音）、アンチパスの発生を示すブザー音（アンチパスＮＧブザー音）およびＩＤ情報の認証不成功を示すブザー音（ＩＤ認証ＮＧブザー音）の三種類のブザー音を発生できる。有線送受信インターフェイス４２は、制御装置３０の有線送受信インターフェイス３５と接続されている。読取書込装置２０のＣＰＵ２８と制御装置３０のＣＰＵ３２は、各々の有線送受信インターフェイス４２、３５を介してデータの送受信を行う。送受信部２１はカードキー１２との間で無線によるデータの送受信を行う。
【００５８】
カードキー１２は、ＣＰＵおよびメモリを含むＩＣチップとアンテナを内蔵した非接触型のＩＣカードで構成されている。カードキー１２は、読取書込装置２０の送受信部２１からの発生する磁界によって電力を発生させ、これを駆動源として用いる。また、カードキー１２は、送受信部２１から電波として発生される制御信号を受信して処理する。カードキー１２のＣＰＵは、制御信号の種類を認識して、行うべき処理を決定する。
【００５９】
カードキー１２からデータを読み取る場合には、無線送受信インターフェイス２５は、ＣＰＵ２８で生成された読取制御信号を送受信部２１に渡す。送受信部２１は読取制御信号に基づいて無線電波を生成する。読取制御信号には、読取コマンドとデータ記録領域を指定するアドレスが含まれる。カードキー１２が送受信部２１から読取制御信号を受信した場合には、カードキー１２内の論理回路によって、メモリ内の指定されたアドレスからデータを読み出す。そして、カードキー１２は、読み出した読取データを内蔵アンテナを用いて送受信部２１に無線で送信する。無線送受信インターフェイス２５は、送受信部２１が受信した読取データを送受信部２１から受け取り、ＣＰＵ２８に渡す。読取書込装置２０にて、上記の読取処理が行われるとき、これらのＣＰＵ２８、無線送受信インターフェイス２５および送受信部２１が本発明の読取手段として機能する。なお、上記カードキー１２内の論理回路は、カードキーに別途ＣＰＵを設け、該ＣＰＵによりメモリ内のデータを読み出す構成としてもよい。
【００６０】
また、読取書込装置２０からカードキー１２へのデータの書込みを行う場合には、無線送受信インターフェイス２５は、読取書込装置２０のＣＰＵ２８で生成された書込制御信号を送受信部２１に渡す。書込制御信号には、書込コマンドと書き込むべきデータが含まれる。送受信部２１は、無線送受信インターフェイス２５より受けた書込制御信号に基づいて無線電波を生成する。カードキー１２が送受信部２１から書込制御信号を受信すると、ＣＰＵの処理によって、受信したデータをメモリ内に書き込む。読取書込装置２０にて、上記の書込処理が行われるとき、これらのＣＰＵ２８、無線送受信インターフェイス２５および送受信部２１が本発明の書込手段として機能する。
【００６１】
なお、上記の例では、カードキー１２を非接触型のＩＣカードで構成して、読取書込装置２０とカードキー１２との間の通信を無線通信としたが、本発明はこの形態に限られない。すなわち、カードキー１２が、表面に金属端子を備えた接触型のＩＣカードであって、送受信部２１が、金属端子を介して電源の供給およびデータの送受信を行ってもよい。さらに、カードキー１２が、内蔵アンテナと金属端子の両方備え、無線通信および有線通信のいずれも可能であるハイブリッド型や２Ｗａｙアクセス（デュアルインターフェイス）型のＩＣカードで構成されてもよいのはもちろんである。
【００６２】
次に、以上のように構成された入退室管理システム１について、その動作を説明する。
図４は、読取書込装置２０での処理を示すフロー図である。図４の動作例では、既に説明したように、カードキー１２には、ＩＤ情報とゾーンコードが記録されている。なお、ＩＤ情報は、本発明の識別情報に相当し、ゾーンコードは、本発明のアンチパス情報に相当する。
【００６３】
まず、読取書込装置２０のＣＰＵ２８は、無線送受信インターフェイス２５を制御して、送受信部２１から無線電波の形態で読取制御信号を発生させる。この読取制御信号は、カードキー１２からＩＤ情報とゾーンコードを読み取ることを指示する信号である。これを受信したカードキー１２は、ＩＤ情報とゾーンコードを所定の記憶領域から読み出して、内蔵アンテナを用いて読取データを送信する。読取書込装置２０の送受信部２１は、読取データを受信する。読取データは、無線送受信インターフェイス２５を介してＣＰＵ２８に供給される。以上の一連の動作が図４の読取処理（ステップＳ１１）に相当する。
【００６４】
次に、読取書込装置２０のＣＰＵ２８は、受信した読取データに含まれるゾーンコードとあらかじめＲＯＭ２９に記憶されているゾーンコードとが一致するか否かを判定する（ステップＳ１２）。ここで、ＲＯＭ２９に記憶されているゾーンコードは、上記のように、当該読取書込装置２０が設置されているゾーンのゾーンコードである。ＣＰＵ２８は、記憶されているゾーンコードとカードキー１２のゾーンコードとが一致するとき、カードキー１２のゾーンコードが正常である、すなわち、アンチパス（アンチパスバックおよびアンチパスフォワード）判定で異常が発生していないと判定する。ＣＰＵ２８は、読み取られたゾーンコードを用いてステップＳ１２にてゾーン判定をするとき、本発明のアンチパス判定手段として機能する。
【００６５】
ゾーンコードが正常である場合には、直ちに書込処理が行われる（ステップＳ１３）。すなわち、本実施の形態では、読取書込装置２０は、カードキー１２から読み出したＩＤ情報の認証を待たずに、ゾーンコードを更新するための書込処理を行う。ＣＰＵ２８は、無線送受信インターフェイス２５を制御して送受信部２１によってカードキー１２への書込を行わせるとき、本発明の書込開始制御手段として機能する。
【００６６】
書込処理では、カードキー１２には、当該扉を通過した先のゾーンのゾーンコード（次ゾーンコード）が書き込まれ、これによりゾーンコードが更新される。このゾーンコードの更新は、元のゾーンコードに対して次ゾーンコードを上書きするものであってもよいし、また、元のゾーンコードを残したまま、最新情報として次ゾーンコードを書き加えるものであってもよい。
【００６７】
一方、ゾーン判定（ステップＳ１２）にて、読出信号に含まれるゾーンコードとあらかじめ記憶されているゾーンコードとが一致しない場合、すなわち、ゾーンコードが異常である場合には、ＣＰＵ２８は、ランプ制御インターフェイス２６を制御して、ＮＧランプ２３を点灯させる。またこのとき、ＣＰＵ２８は、ブザー制御インターフェイス２７を制御して、ブザー２４にアンチパス判定で異常が発生したことを示すブザー音（アンチパスＮＧブザー音）を発生させて、被管理者にアンチパス判定ＮＧを通知する（ステップＳ１４）。
【００６８】
ステップＳ１３にて書込処理を行った後、ＣＰＵ２８は、書込結果を確認する（ステップＳ１５）。書込が正常に完了しており、書込結果が良好であった場合には、次に、ＩＤ認証処理が行われる。一方、書込結果が不良であった場合、すなわち、書込みエラーが生じた場合には、再びゾーンコードの読取処理（ステップＳ１１）に戻る。
【００６９】
ＩＤ認証処理（ステップＳ１６）では、読取書込装置２０は、まず、カードキー１２より読み出されたＩＤ情報を有線送受信インターフェイス４２によって制御装置３０に送信する。そして、読取書込装置２０は、制御装置３０より送られてくる認証結果信号を有線送受信インターフェイス４２にて受信する。
【００７０】
この間、制御装置３０では、以下の処理が行われる。まず、有線送受信インターフェイス３５において、読取書込装置２０から送信されてきたＩＤ情報を受信する。そして、ＣＰＵ３２は、この受信したＩＤ情報と一致するＩＤ情報がＲＯＭ３３に記憶されているか、すなわち、受信したＩＤ情報が登録されたものであるかを確認する。そして、受信したＩＤ情報が登録されたものであれば、当該ＩＤ情報を認証することを示す認証結果信号を有線送受信インターフェイス３５より送信する。逆に、受信したＩＤ情報が登録されたものでなければ、当該ＩＤ情報の認証が不成功であることを示す認証結果信号を送信する。制御装置３０のＣＰＵ３２が、本発明の認証手段として機能する。
【００７１】
読取書込装置２０が認証結果信号を取得すると、ＣＰＵ２８は、認証結果信号からＩＤ情報の認証が成功か不成功かを判断する（ステップＳ１７）。ＩＤ情報が認証された場合には、ＣＰＵ２８は、ランプ制御インターフェイス２６を制御して、ＯＫランプ２２を点灯させる。またこのとき、ＣＰＵ２８は、ブザー制御インターフェイス２７を制御して、ブザー２４に処理が正常に完了したことを示すブザー音（ＯＫブザー音）を発生させて、これにより処理の正常完了を被管理者に通知する（ステップＳ１８）。
【００７２】
ゾーン判定（ステップＳ１２）、書込処理（ステップＳ１３）およびＩＤ認証処理（ステップＳ１６）がすべて正常に完了すると、読取書込装置２０のＣＰＵ２８は、その旨を制御装置３０に送信する。制御装置３０のＣＰＵ３２は、電気錠１０を解錠するための電気錠制御信号を生成して、電気錠制御インターフェイス３１より電気錠１０に送信する。電気錠１０はこの電気錠制御信号によって解錠される。これにより、被管理者は、扉を通過して、他のゾーンに移ることができる。
【００７３】
ステップＳ１７にて認証結果信号が認証不成功を示すものであった場合には、ＣＰＵ２８は、ランプ制御インターフェイス２６を制御して、ＮＧランプ２３を点灯させる。またこのとき、ＣＰＵ２８は、ブザー制御インターフェイス２７を制御して、ブザー２４にＩＤ情報の認証が不成功であったことを示すブザー音（ＩＤ認証ＮＧブザー音）を発生させて、被管理者にＩＤ認証ＮＧを通知し（ステップＳ１９）、ステップＳ１１に戻る。
【００７４】
なお、上記の動作がゾーンの外側に設置された読取書込装置２０にて実行されるとき、アンチパスフォワード方式の入退室管理が行われる。また、ゾーンの内側の読取記憶装置２０で上記の動作が実行されるとき、アンチパスバック方式の入退室管理が行われる。
【００７５】
このような第１の実施の形態によれば、アンチパス方式の入退室管理を行うに当たって、カードキーの読取書込装置において、まずカードキーへの書込処理を行い、その後にＩＤ認証処理を行うので、被管理者である操作者がカードキーを読取書込装置の送受信部からすばやく取り除いてしまうことによってアンチパス情報の更新ができない事態が生じる可能性が低減される。
【００７６】
なお、上記の例では、ステップＳ１３にてゾーンコードを更新するための書込処理が行われ、その書込処理が完了した後に、ステップＳ１６にてＩＤ認証処理を行った。本発明はこれに限られず、ゾーンコードの書込処理が、ＩＤ認定処理とは独立しており、ＩＤ情報の認証結果を待たずに開始されればよい。例えば、ステップＳ１１でＩＤ情報とゾーンコードを読み取った後に、ゾーン判定処理とＩＤ認証処理とを並行させてもよい。この場合にも、ＩＤ認証結果の取得を待つことなく、ゾーン判定処理にてゾーンコードが正常であると判定されたときに、直ちに書込処理が開始される。このような処理でも、認証結果を待たずに書込を開始しており、本発明の範囲に含まれる。
【００７７】
次に本発明の第２の実施の形態を説明する。本実施の形態の全体的なシステム構成は図３に示した第１の実施の形態の構成と同様である。本実施の形態では、読取書込装置２０の行う処理が、第１の実施の形態と異なっている。
【００７８】
図５は、第２の実施の形態における読取書込装置２０の動作を説明するためのフロー図である。図５では、図４と共通するステップには同一の符号が付されている。第２の実施の形態では、ステップＳ１１でゾーンコードを読取り、ステップＳ１２でゾーン判定を行い、ゾーンコードが異常であると判定されると、ステップＳ１４にてＮＧランプ２３によるＮＧ表示およびブザー２４によるアンチパスＮＧブザー音の発生を行う。これらの動作は第１の実施の形態と同じである。
【００７９】
ステップＳ１５にて書込結果が良好であれば、ステップＳ１６にてＩＤ認証処理が行われる。これらの動作も第１の実施の形態と同じである。本実施の形態では、第１の実施の形態との相違点として、ステップＳ１７にてＩＤ認証処理による認証結果が不成功であるときに、書戻処理が行われる（ステップＳ２０）。
【００８０】
書戻処理（ステップＳ２０）では、ステップＳ１３にて更新されたゾーンコードを更新前のゾーンコードに戻す処理が行われる。すなわち、ステップＳ１３にて更新処理として次のゾーンのゾーンコードを上書きした場合には、ステップＳ２０の書戻処理にて、元のゾーンコードを再度上書きする。また、ステップＳ１３にて更新処理として次ゾーンコードを最新の情報として書き加えた場合には、ステップＳ２０の書戻処理にて、さらに、元のゾーンコードを最新の情報として書き加える。あるいは、書戻処理では、次のゾーンのゾーンコードが削除されてもよい。
【００８１】
そして、書戻処理の次に、ステップＳ１９にて、第１の実施の形態と同様にして、ランプ２３によるＮＧ表示およびブザー２４によるＩＤ認証ＮＧブザー音の発生を行う。なお、読取書込装置２０は、この書戻処理のために、ゾーン判定のために読み取ったゾーンコードを、ＩＤ情報が認証されるまでのあいだメモリに一時的に記憶している。
【００８２】
ＣＰＵ２８は、ＩＤ情報が認証されなかったときに、無線送受信インターフェイス２５を制御して送受信部２１からカードキーに対して書戻処理を行っており、本発明の書戻制御手段に相当する。
【００８３】
本実施形態の書戻処理が好適に作用する例を説明する。例えば、図２に示される施設内で、ある被管理者が建物１１０内ゾーンにいて、扉１４６から機密室１２０に入ろうとしたとする。しかし、被管理者は、機密室１２０への入室権限をもっていない、すなわち、この被管理者のＩＤ情報が機密室１２０に入室できる者として登録されていないとする。このような状況で本実施の形態では、ゾーンコード「０００Ｂ」を「０００Ｒ」と書き換えた後に認証処理を行い、認証が失敗したときにゾーンコードを「０００Ｒ」から「０００Ｂ」に戻す書戻処理を行う。したがって、被管理者のカードキー１２では、被管理者が実際にいるゾーンを示す正常なゾーンコードに戻る。
【００８４】
そして、同じ被管理者が扉１４３〜１４５のいずれかから建物１１０外へ出ようとしたとする。このとき、ゾーンコードは正常なゾーンコードである「０００Ｂ」に戻っているので、ゾーン判定ではゾーンコードが正常であると判定され、被管理者は、建物１１０の外に出られる。このように、本実施の形態では、書戻しがないためにアンチパスが発生し、ゾーンの外に出られないといった事態が回避できる。
【００８５】
以上に説明したように、本実施の形態では、ＩＤ認証処理にてＩＤ情報の認証が不成功となった場合には、ゾーンコードを元の情報に戻してやることで、ゾーンコードが正常な状態に戻るので、ゾーンコードの更新に伴う不都合を解消できる。
【００８６】
次に、本発明の第３の実施の形態を説明する。本実施の形態の全体的なシステム構成は、図３に示した第１の実施の形態の構成と同様である。ただし、本実施の形態では、読取書込装置２０は、カードキー１２にゾーンコードとともに現在時刻の情報を記録する。また、読取書込装置２０はカードキー１２から、ＩＤ情報およびゾーンコードとともに、現在時刻の情報を読み取る。そして、本実施の形態では、読取書込装置２０の行う処理が、以下に説明するように、第１の実施の形態と相違している。
【００８７】
図６は、第３の実施の形態の読取書込装置２０による動作を説明するためのフロー図である。図６では、図４と共通するステップには同一の符号が付されている。本実施の形態では、まず、カードキー１２からの読取処理が行われるが（ステップＳ１１）、この読取処理では、ゾーンコードと時刻情報が読み取られる。そして、読み取られたゾーンコードを用いて、ゾーン判定１の処理が行われる（ステップＳ１２）。ゾーン判定１は、第１の実施の形態のゾーン判定と同様である。
【００８８】
本実施の形態では、ゾーン判定１において、ゾーンコードが異常であると判定された場合には、救済判定が行われる。ここでの救済とは、カードキー１２に記録されたゾーンコードが正常なゾーンコードとしてあらかじめ記憶されたゾーンコードと一致しない場合にも、アンチパスが発生していないことを示す例外事象に対応した所定のアンチパス救済条件を満たす限り、カードキー１２に記録されたゾーンコードが正常である場合と同様に扱うことを意味する。本実施の形態の救済判定は、ゾーン判定２（ステップＳ２１）および時刻判定（ステップＳ２２）からなる。
【００８９】
ステップＳ１２のゾーン判定１において、ゾーンコードが異常であると判定された場合には、さらに、ゾーン判定２の処理が行われる（ステップＳ２１）。ゾーン判定２では、読み取られたゾーンコードが、次ゾーンコード、すなわち当該読取書込装置２０によって電気錠を解錠して移動しようとするゾーンのゾーンコードであるか否かが判断される。すなわち、ここでのアンチパス救済条件は、読み取られたゾーンコードが次ゾーンコードであるということである。
【００９０】
ゾーン判定２において、ステップＳ２１にて読み取られたゾーンコードが次ゾーンコードである場合、すなわち、ゾーンコードにかかるアンチパス救済条件を充足すると判断された場合には、次に時刻判定が行われる（ステップＳ２２）。この時刻判定では、時刻情報が現在時刻から所定の時間内であるか否かが判断される。時刻情報は、後述のように、ゾーンコードとともに更新される。したがって、時刻情報は、本来、扉を通過した時刻を示している。すなわち、ここでのアンチパス救済条件は、時刻判定（ステップＳ２２）のときに、既通過からの経過時間が所定の時間内であるということである。
【００９１】
そして、ステップＳ２２にて時刻情報が現在時刻から所定の時間内であると判断された場合、すなわち、時刻情報にかかるアンチパス救済条件を充足すると判断された場合には、ＩＤ認証処理が行われる（ステップＳ１６）。このように、本実施の形態の救済判定では、読み取られたゾーンコードが次ゾーンコードであり、かつ、時刻情報が現在時刻から所定の時間内であるというアンチパス救済条件が課せられ、この条件を充足する場合に、カードキー１２に記録されたゾーンコードがステップＳ１２にて正常である場合と同様に扱う。
【００９２】
アンチパス救済条件を充足しない場合、すなわち、ステップＳ２１にて読み取られたゾーンコードが次ゾーンコードでないと判断されるか、またはステップＳ２２にて時刻情報が現在時刻から所定の時間内にないと判断された場合には、第１の実施の形態のゾーン判定にてゾーンコードが異常であると判定されたときと同様に、ランプ２３によるＮＧ表示およびブザー２４によるアンチパスＮＧブザー音の発生を行う（ステップＳ１４）。
【００９３】
ステップＳ１２のゾーン判定１にてゾーンコードが正常であると判定されると、書込処理を行う（ステップＳ１３）。本実施の形態では、この書込処理において、ゾーンコードの更新とともに、時刻情報が更新される。ステップＳ１３では、時刻情報として、解錠操作時の現在時刻が書き込まれる。その他の処理については、第１の実施の形態と同様である。
【００９４】
本実施形態の救済判定は、例えば以下のような場合に有利である。すなわち、被管理者がいったんカードキーを用いて解錠操作をしたにもかかわらず、実際には解錠された扉を通過しなかった場合である。この場合には、ゾーンコードが次ゾーンコードに更新されてしまっている。そのため、再度解錠の操作を行ったとしても、ゾーン判定では、ゾーンコードが異常であると判定されてしまう。しかしながら、カードキー１２に次ゾーンコードが記録されているということは、次ゾーンコードに対応するゾーンに入室するための扉にまでは正当な経路で到達したものと推定できる。しかも、最新の更新が現在時刻から所定の時間内である場合には、いったん解錠したにもかかわらず扉を通過しなかっただけであり、不審者ではない可能性が高い。本実施の形態は、このような場合に、ゾーンコードが次ゾーンコードであって、かつ、時間情報が現在時刻から所定の時間内であれば、ＩＤ情報が認証されることを条件に入室させるものである。
【００９５】
本実施の形態によれば、上記のような状況で、アンチパス救済条件が満され、被管理者は扉を通過できる。このようにして、アンチパス方式の厳格な入退室管理によって不正でない可能性の高い者の入退室を制限してしまうことによる利用者の不便さを軽減できる。
【００９６】
なお、上記の例では、救済判定としてゾーン判定２（ステップＳ２１）および時刻判定（ステップＳ２２）を行い、いずれの救済条件も満たす場合に、救済するようにしたが、本発明はこれに限られない。ゾーン判定２または時刻判定のいずれか一方の結果のみによってアンチパスの救済判定をしてもよい。さらに、カードキーに記録された時刻情報以外の他の情報を用いて救済判定を行ってもよい。また、ＩＤ情報を用いて救済判定を行ってもよい。また、ゾーン判定２と時刻判定との順序が逆であってもよいことはもちろんである。
【００９７】
また、上記の通り、本実施の形態の入退室管理システム１では、警備室１３０に強制書換装置４０が備えられている（図２参照）。強制書換装置４０は、読取書込装置２０でのゾーンコードの書込処理によって更新されたゾーンコードの内容にかかわらず、強制的にゾーンコードを所定の値に書き換える。本実施の形態では、強制書換装置４０は、それが設置されているゾーンに対応するゾーンコードに書換えを行う。図２の例では、敷地１００内に強制書換装置４０が設置されているので、ゾーンコードは強制的に敷地１００内のゾーンコード「０００Ｐ」に書き換えられる。
【産業上の利用可能性】
【００９８】
以上のように、本発明にかかる入退室管理システムは、被管理者に保持され、識別情報およびアンチパス情報が記録された記録体に対して、アンチパス情報を更新するための書込処理を行う書込手段を設け、書込開始制御手段が、認証手段による識別情報の認証の結果を待たずに、書込手段にアンチパス情報を更新するための書込処理を行わせるので、被管理者が記録体をすばやく取り除いてしまうことによる、記録体への書き込みエラーの可能性を低減できるという効果を有し、施設内での各ゾーンへの入退室を管理するシステム等として有用である。
【図面の簡単な説明】
【００９９】
【図１】本発明の第１の実施の形態の入退室管理システムの概略構成図
【図２】本発明の第１の実施の形態の入退室管理システムの配置図
【図３】本発明の第１の実施の形態の入退室管理システムの構成を示すブロック図
【図４】本発明の第１の実施の形態における読取書込装置の動作を示すフロー図
【図５】本発明の第２の実施の形態における読取書込装置の動作を示すフロー図
【図６】本発明の第３の実施の形態における読取書込装置の動作を示すフロー図
【図７】従来のアンチパスバック方式の入退室管理を説明する図
【図８】従来のアンチパスバック方式の入退室管理を説明する図
【図９】従来のアンチパスフォワード方式の入退室管理を説明する図
【図１０】従来のアンチパスフォワード方式の入退室管理を説明する図
【符号の説明】
【０１００】
１  入退室管理システム
１０  電気錠
１２  カードキー
１４  電気錠付扉
２０  読取書込装置
２１  無線送受信部
２５  無線送受信インターフェイス
３０  制御装置
４０  強制書換装置
【図１】
2005146652.tif 000003
【図２】
2005146652.tif 000004
【図３】
2005146652.tif 000005
【図４】
2005146652.tif 000006
【図５】
2005146652.tif 000007
【図６】
2005146652.tif 000008
【図７】
2005146652.tif 000009
【図８】
2005146652.tif 000010
【図９】
2005146652.tif 000011
【図１０】
2005146652.tif 000012